(57)【特許請求の範囲】
【請求項１】
噴射信号を受けて被検眼に流体を噴射する流体噴射手段を備え、前記流体の噴射による被検眼角膜の変形状態を検出することに基づいて眼圧を測定する非接触式眼圧計において、被検者の眼球近傍での脈動を検出する脈動検出器を持つ脈動検出手段と、眼圧測定の実行指示信号を入力する指示信号入力手段と、被検者の脈動の所期する位相位置に眼圧測定が同期するように前記噴射信号を出力する測定タイミングを前記脈動検出手段による検出結果に基づいて決定する測定タイミング決定手段であって，被検者のある脈動に対応する測定タイミングを，その直前に生じた脈動よりもさらに前に生じた脈動の検出結果に基づいて決定する測定タイミング決定手段と、該決定した測定タイミングと前記指示信号の入力とに基づいて前記噴射信号の出力を制御する制御手段と、を備えることを特徴とする非接触式眼圧計。
【請求項２】
請求項１の非接触式眼圧計において、前記脈動検出手段により検出される脈動を所定時間又は所定の脈動周期分が得られるまでサンプリングするサンプリング手段を備え、前記測定タイミング決定手段はサンプリングした脈動検出結果に基づいてサンプリング以降に生じる２つ以上の脈動に対応する測定タイミングを決定することを特徴とする非接触式眼圧計。
【請求項３】
請求項２の測定タイミング決定手段は、継続的なサンプリングにより新たな脈動が得られたときには、そのサンプリング結果に基づいて測定タイミングを決定していくことを特徴とする非接触式眼圧計。
【請求項４】
請求項１の非接触式眼圧計において、前記噴射信号の出力から眼圧測定の角膜変形が検出されるまでの変形検出時間を予測する予測手段を備え、前記測定タイミング決定手段は前記変形検出時間に基づいて測定タイミングを決定することを特徴とする非接触式眼圧計。
【請求項５】
噴射信号を受けて被検眼に流体を噴射する流体噴射手段を備え、前記流体の噴射による被検眼角膜の変形状態を検出することに基づいて眼圧を測定する非接触式眼圧計において、被検者の眼球近傍での脈動を検出する脈動検出器を持つ脈動検出手段と、眼圧測定の実行指示信号を入力する指示信号入力手段と、被検者の脈動の所期する位相位置に眼圧測定が同期するように前記噴射信号を出力する測定タイミングを前記脈動検出手段による検出結果に基づいて決定する測定タイミング決定手段であって，被検者のある第１脈動に対応する第１測定タイミングと前記第１脈動の後に生じる第２脈動に対応する第２測定タイミングとの少なくとも２つの測定タイミングを，前記第１脈動よりも前に生じた脈動の検出結果に基づいて決定する測定タイミング決定手段と、該決定した測定タイミングと前記指示信号の入力とに基づいて前記噴射信号の出力を制御する制御手段と、を備えることを特徴とする非接触式眼圧計。
【請求項６】
噴射信号を受けて被検眼に流体を噴射する流体噴射手段を備え、前記流体の噴射による被検眼角膜の変形状態を検出することに基づいて眼圧を測定する非接触式眼圧計において、被検者の眼球近傍での脈動を検出する脈動検出器を持つ脈動検出手段と、眼圧測定の実行指示信号を入力する指示信号入力手段と、被検者の脈動の所期する位相位置に眼圧測定が同期するように前記噴射信号を出力する測定タイミングを前記脈動検出手段による検出結果に基づいて決定する測定タイミング決定手段であって，前記脈動検出手段により脈動が検出されないときには，それ以前に検出された脈動に基づいて測定タイミングを決定する測定タイミング決定手段と、該決定した測定タイミングと前記指示信号の入力とに基づいて前記噴射信号の出力を制御する制御手段と、を備えることを特徴とする非接触式眼圧計。
【発明の詳細な説明】
【０００１】
【発明の属する技術分野】
本発明は、流体を圧縮して被検眼に吹付け、被検眼角膜の変形状態を検出することにより眼圧を測定する非接触式眼圧計に関する。
【０００２】
【従来技術】
眼圧は血液の脈動（脈波）に同期した時間的変動が存在する。非接触式眼圧計で時間的に無作為に測定した場合、時間的変化の中のどの点が測定されているかは不明である。測定回数が少ない場合、実際は眼圧が高いにも拘わらず、眼圧変動の中で最も低い点を測定してしまい、集団検診などのスクリーニングの際には、眼圧亢進が見落とされる可能性がある。
【０００３】
このため、脈動をサンプリングしながら、脈動の所定の位相位置に同期した出力信号のタイミングで眼圧を測定する非接触式眼圧計が提案されている。
【０００４】
【発明が解決しようとする課題】
ところで、こうした脈動検出は、眼圧の変動周期と近い額部が良いと言われている。しかし、額部で脈動をサンプリングした場合、瞬きによる外乱の変動が混入したり、エアーの吹き付けにより反射的に体動が生じ、脈動の検出が難しい。このため、脈動をサンプリングしながらの眼圧測定では測定がスムーズに行えないという問題があった。
【０００５】
本発明は、上記従来技術の問題点に鑑み、脈動周期の位相に同期させた測定をスムーズに行うことができる非接触式眼圧計を提供することを技術課題とする。
【０００６】
【課題を解決するための手段】
上記課題を解決するために、本発明は以下のような構成を備えることを特徴とする。
【０００７】
（１）  噴射信号を受けて被検眼に流体を噴射する流体噴射手段を備え、前記流体の噴射による被検眼角膜の変形状態を検出することに基づいて眼圧を測定する非接触式眼圧計において、被検者の眼球近傍での脈動を検出する脈動検出器を持つ脈動検出手段と、眼圧測定の実行指示信号を入力する指示信号入力手段と、被検者の脈動の所期する位相位置に眼圧測定が同期するように前記噴射信号を出力する測定タイミングを前記脈動検出手段による検出結果に基づいて決定する測定タイミング決定手段であって，被検者のある脈動に対応する測定タイミングを，その直前に生じた脈動よりもさらに前に生じた脈動の検出結果に基づいて決定する測定タイミング決定手段と、該決定した測定タイミングと前記指示信号の入力とに基づいて前記噴射信号の出力を制御する制御手段と、を備えることを特徴とする。
【０００８】
（２）  （１）の非接触式眼圧計において、前記脈動検出手段により検出される脈動を所定時間又は所定の脈動周期分が得られるまでサンプリングするサンプリング手段を備え、前記測定タイミング決定手段はサンプリングした脈動検出結果に基づいてサンプリング以降に生じる２つ以上の脈動に対応する測定タイミングを決定することを特徴とする。
【０００９】
（３）  （２）の測定タイミング決定手段は、継続的なサンプリングにより新たな脈動が得られたときには、そのサンプリング結果に基づいて測定タイミングを決定していくことを特徴とする。
【００１０】
（４）  （１）の非接触式眼圧計において、前記噴射信号の出力から眼圧測定の角膜変形が検出されるまでの変形検出時間を予測する予測手段を備え、前記測定タイミング決定手段は前記変形検出時間に基づいて測定タイミングを決定することを特徴とする。
【００１１】
（５）  噴射信号を受けて被検眼に流体を噴射する流体噴射手段を備え、前記流体の噴射による被検眼角膜の変形状態を検出することに基づいて眼圧を測定する非接触式眼圧計において、被検者の眼球近傍での脈動を検出する脈動検出器を持つ脈動検出手段と、眼圧測定の実行指示信号を入力する指示信号入力手段と、被検者の脈動の所期する位相位置に眼圧測定が同期するように前記噴射信号を出力する測定タイミングを前記脈動検出手段による検出結果に基づいて決定する測定タイミング決定手段であって，被検者のある第１脈動に対応する第１測定タイミングと前記第１脈動の後に生じる第２脈動に対応する第２測定タイミングとの少なくとも２つの測定タイミングを，前記第１脈動よりも前に生じた脈動の検出結果に基づいて決定する測定タイミング決定手段と、該決定した測定タイミングと前記指示信号の入力とに基づいて前記噴射信号の出力を制御する制御手段と、を備えることを特徴とする。
【００１２】
（６）  噴射信号を受けて被検眼に流体を噴射する流体噴射手段を備え、前記流体の噴射による被検眼角膜の変形状態を検出することに基づいて眼圧を測定する非接触式眼圧計において、被検者の眼球近傍での脈動を検出する脈動検出器を持つ脈動検出手段と、眼圧測定の実行指示信号を入力する指示信号入力手段と、被検者の脈動の所期する位相位置に眼圧測定が同期するように前記噴射信号を出力する測定タイミングを前記脈動検出手段による検出結果に基づいて決定する測定タイミング決定手段であって，前記脈動検出手段により脈動が検出されないときには，それ以前に検出された脈動に基づいて測定タイミングを決定する測定タイミング決定手段と、該決定した測定タイミングと前記指示信号の入力とに基づいて前記噴射信号の出力を制御する制御手段と、を備えることを特徴とする。
【００１３】
【発明の実施の形態】
以下、本実施例について図面に基づいて説明する。図１は非接触式眼圧計の流体噴射機構の側方概略、及び制御系の要部を示した図である。
【００１４】
１は空気圧縮用のシリンダ部であり、眼圧計本体の水平線に対して傾斜して設けられている。２はピストン、３はロータリソレノイドであり、ロータリソレノイド３に駆動エネルギである電荷（電流、電圧）が付与されると、アーム４、コネクティングロッド５を介してピストン２をシリンダ１に沿って上に押し上げる。ピストン２の上昇によりシリンダ部１に連通する空気圧縮室１１で圧縮された空気は、ノズル６から被検眼Ｅの角膜に向けて噴出される。また、ロータリソレノイド３には図示なきコイルバネが備えられており、付与される電荷がカットされるとコイルバネの下降方向への付勢力により上昇したピストン２を下降させて初期位置に戻す。
【００１５】
７は透明なガラス板であり、ノズル６を保持するとともに、観察光やアライメント光等を透過させる。またガラス板７は空気圧縮室１１の側壁となっている。９はノズル６の背面に設けられた透明なガラス板であり、空気圧縮室１１の後壁を構成するとともに、観察光やアライメント光を透過させる。ガラス板９の背後には、後述する観察、アライメントのための光学系８が配置される。１２は空気圧縮室１１の圧力を検出する圧力センサである。
【００１６】
２０は制御部であり、圧力センサ１２用の圧力検出処理回路２１、後述する角膜変形検出光学系の光検出器５６用の信号検出処理回路２２、作動距離検出の一次元位置検出素子５７用の信号検出処理回路２６、ＣＣＤカメラ３５用の信号検出処理回路２７、脈動検出器１８用の脈動検出処理回路２８、ロータリソレノイド３を駆動させるための駆動回路２３、測定データや測定の制御条件等を記憶するためのメモリ２４が接続されている。２５は入力部であり、測定モードの選択スイッチ２５ａ等を備える。２５ｂは測定開始スイッチである。
【００１７】
被検者の脈動を検出するため、脈動検出器１８は、図２に示す様に、被検者の顔を支持するための顔支持ユニット１６が備える額当て１７に取付けられている。本実施形態では、眼球内の脈動変動の位相とほぼ同じ位相を得るために、脈動検出器１８を額当て１７に設けたが、顎載せ台等、被検者の顔部に接触する位置に設けることでも良い。なお、脈動検出器１８は被検者の額が安定して額当て１７に接しているかどうかの判定機能も兼ねている。
【００１８】
脈動検出器１８は発光部と受光部とからなり、発光部は血中ヘモグロビンの吸収スペクトルに対応した近赤外波長で発光波長帯域の狭い発光ダイオード（ＬＥＤ）であり、受光部はフォトダイオードである。血中ヘモグロビンはある波長帯の光に強い吸収スペクトルを持っている。この波長帯の光を照射した時の生体の反射光は血管の容量変動に伴い変化するヘモグロビン量に応じて変化するので、この反射光の強度を電気信号に変えて脈動を検出する。なお、血中ヘモグロビンは近赤外域に限らず、可視域にも幅広い吸収スペクトルがあるので、発光部は白色ＬＥＤを使用しても良い。この場合、受光部は光導電素子のような広波長域に感度を有するものがよい。
【００１９】
図２において、１５は流体噴射機構及び後述する光学系が配置される測定部であり、測定部１５は固定基台１３上を水平移動する移動台１４に搭載されている。移動台１４はジョイスティック１９の操作により移動され、また、ジョイスティック１９の回転ノブを操作することにより、測定部１５が上下移動するようになっている。
【００２０】
図３は非接触式眼圧計の上方視光学系要部図である。赤外照明光源３０により照明された被検眼像は、ビームスプリッタ３１、対物レンズ３２、ビームスプリッタ３３及びフィルタ３４を介してＣＣＤカメラ３５に結像する。フィルタ３４は、光源３０及びアライメント用光源４０の光を透過し、後述する角膜変形検出用のＬＥＤ５０の光に対して不透過の特性を持つ。ＣＣＤカメラ３５に結像した像はモニタ３６に表示される。
【００２１】
４０はアライメント用の赤外ＬＥＤであり、投影レンズ４１を介して投影された赤外光はビームスプリッタ３１により反射され、被検眼に正面より投影される。ＬＥＤ４０により角膜頂点に形成された角膜輝点は、ビームスプリッタ３１〜フィルタ３４を介してＣＣＤカメラ３５に結像し、上下左右方向のアライメント検出に利用される。
【００２２】
４５は固視標投影用のＬＥＤであり、ＬＥＤ４５により照明された固視標４６の光は投影レンズ４７を通過した後、ビームスプリッタ３３によって反射されて被検眼Ｅに向かう。検者は被検眼に固視標４６を固視させた状態で測定を行う。
【００２３】
５０は角膜変形検出用の赤外ＬＥＤであり、ＬＥＤ５０を出射した光はコリメータレンズ５１により略平行光束とされて被検眼の角膜に投光される。角膜で反射した光は受光レンズ５２、光源３０及び光源４０の光に対して不透過の特性を持つフィルタ５３を通過した後、ビームスプリッタ５４で反射し、ピンホール板５５を通過して光検出器５６に受光される。角膜変形検出用の光学系は、被検眼が所定の変形状態（偏平状態）のときに光検出器５６の受光量が最大になるように配置されている。
【００２４】
また、この角膜変形検出光学系は作動距離検出光学系の一部を兼ねており、ＬＥＤ５０より投光され、角膜で反射した光はＬＥＤ５０の虚像である指標像を形成する。その指標像の光は、受光レンズ５２、フィルタ５３、ビームスプリッタ５４を通過してＰＳＤやラインセンサ等の一次元位置検出素子５７に入射する。被検眼（角膜）が作動距離方向に移動すると、ＬＥＤ５０による指標像も一次元位置検出素子５７上を移動するため、制御部２０は一次元位置検出素子５７からの出力信号に基づいて作動距離情報を得る。
【００２５】
以上のような構成を備える非接触式眼圧計において、その動作について説明する。
【００２６】
まず、検者は、脈動周期どの位相位置で眼圧測定を行うかの測定モードをスイッチ２５ａで選択する。この測定モードには、図４に示す様に、▲１▼脈動位相のピークＰで測定するモード、▲２▼脈動位相のボトムＢで測定するモード、▲３▼脈動位相の任意点Ｎで測定するモード、▲４▼脈動位相のピークＰとボトムＢを所定回数（例えば、２回ずつ）測定するモードが用意されている。任意点Ｎの位置は、振幅の高さの何％とか、１周期の何％という様に入力部２５のスイッチで設定できる。また、ピークＰとボトムＢを所定回数測定するモードでは、自動的に眼圧平均値が演算される。眼圧平均値は、接触圧平型のゴールドマン眼圧計での測定値に対する評価を行う場合に有効である。
【００２７】
次に、被検者の額が額当て１７に接するよう被検者に指示し、額当て１７に取付けられた脈動検出器１８で被検者の脈動を測定する。脈動検出器１８は、被検者の脈動を電気信号に変えて、脈動検出処理回路２８に送る。脈動検出処理回路２８にて検出された脈動波形信号は制御部２０に入力され、制御部２０は脈動波形信号を図５に示すように予め定められたサンプリングタイムＴｓでサンプリングする。サンプリングタイムＴｓは所定の時間（５秒間等）又は所定の周期分（１周期あれば良いが、好ましくは３周期以上）が得られるまで行うように設定されている。このサンプリングタイムの間は、脈動波形信号が安定して得られるように被検者に静止を促す。制御部２０は安定した脈動波形信号がサンプリングできれば、サンプリングデータからその後の脈動の位相と周期を求めた後（脈動の位相と周期は、好ましくは安定してサンプリングできた脈動波形の平均から求める）、周期的な眼圧測定時期を演算する。
【００２８】
なお、脈動検出器１８からの信号が得られないときには、被検者の額が額当て１７に十分に当接しておらず、顔の固定が安定していないことが分かる。この場合はモニタ３６上に顔が固定されていない旨のメッセージをモニタ３６に表示し、検者に知らせるようにしても良い。
【００２９】
図５の例は、脈動のピークＰで眼圧測定するモードでの例ある。Ｓ１はサンプリングタイムＴｓ後に予想される脈動位相のピークＰのタイミングを示す。Ｓ２はソレノイド３を駆動するための信号Ｓ３を出力する眼圧測定タイミングを示す。このタイミングＳ２は、ソレノイド駆動信号Ｓ３を出力後、ノズル６からの圧縮空気の噴射によって角膜が偏平されまで（光検出器５６から出力される圧平信号Ｑのピークとなるまで）の圧平検出時間Ｔａｐｌ分だけ、タイミングＳ１からそれぞれ溯ったタイミングで求められる。また、眼圧測定タイミングＳ２は脈動周期Ｔａ毎に繰り返される。
【００３０】
圧平検出時間Ｔａｐｌについて説明する。ソレノイド駆動信号Ｓ３を出力後に圧平信号Ｑのピークが得られる時間は、被検眼の眼圧や吐出圧力の立ち上がりによって異なってくる。ソレノイド駆動信号Ｓ３を出力後の吐出圧力の立ち上がりは、事前に得ることができる。したがって、被検眼の眼圧値が予測できれば圧平検出時間Ｔａｐｌも予測できる。同一被検眼で２回目以降の測定を実行する場合には、前に測定した測定眼圧値を予測値とし、そのときに制御部２０が計測した圧平検出時間Ｔａｐｌを次の測定で使用すれば良い。２回目以降の測定では、一つ前の測定での圧平検出時間Ｔａｐｌを利用して眼圧測定タイミングＳ２を求めることにより、脈動波形のピークと圧平信号Ｑのピークとが一致し易くなる。１回目の測定においては、平均的な眼圧値を使用して圧平検出時間Ｔａｐｌを設定するほか、被検眼の眼圧がある程度予測できる場合は、その眼圧値を入力部２５から入力して圧平検出時間Ｔａｐｌを設定すれば良い。
【００３１】
制御部２０は、脈動のサンプリングデータから眼圧測定タイミングＳ２が求まると、その旨をモニタ３６上に表示させ、眼圧測定を可能な状態にする。検者は、モニタ３６上に表示されるアライメント情報に基づいてジョイスティック１９等を操作することにより測定部１５を移動してアライメント調整を行う。上下左右方向のアライメント調整は、ＬＥＤ４０により形成される角膜輝点をモニタ３６上に表示される図示なきレチクルと所定の関係になるようにする。作動距離方向のアライメント調整は、一次元位置検出素子５７から得られる作動距離情報に基づいて表示される距離指標に従って行う。このアライメント調整の詳細については、本出願人による特開平７−２３９０７号等を参照されたい。また、アライメント指標像の検出情報に基づいて測定部１５を移動して、自動的にアライメントすることもできる。
【００３２】
制御部２０は、一次元位置検出素子５７により検出される指標像、ＣＣＤカメラ３５により検出される指標像がそれぞれ所定の許容範囲になったときにアライメント完了信号Ｒを得る。そして、アライメント完了信号Ｒが得られると、これを測定実行の指示信号とし、その直後の眼圧測定タイミングＳ２に同期してソレノイド駆動信号Ｓ３を出力し、測定を実行する。すなわち、制御部２０は駆動回路２３を介してロータリソレノイド３に動作可能な駆動エネルギとしての電荷を付与してこれを駆動させる。なお、アライメント完了信号Ｒを使用せずにマニュアルで測定を実行する場合、測定開始スイッチ２５ｂからトリガ信号が入力された直後の眼圧測定タイミングＳ２に同期してソレノイド駆動信号Ｓ３を出力する。
【００３３】
ロータリソレノイド３の駆動によりピストン２が上昇し、ピストン２により空気圧縮室１１の空気が圧縮され、圧縮空気がノズル６から被検眼Ｅの角膜に向けて吹付けられる。被検眼Ｅの角膜は吹き付けられた圧縮空気によって徐々に変形し、角膜が扁平状態に達したとき、光検出器５６に最大光量が入射される。この光検出器５６からの出力信号と圧力センサ１２からの出力信号は、逐次処理されて制御部２０に入力される。制御部２０は光検出器５６から出力される圧平信号Ｑがピークを示したときの時間を基準にし、その前後の所定の時間幅で得られる圧力Ｐｒの平均圧力を得て、これから眼圧値を求める。
【００３４】
なお、２回目以降の連続的な測定の場合には、ソレノイド３を駆動するための電荷のチャージ時間及びシリンダ部１内への空気の吸入時間を待ってソレノイド駆動信号Ｓ３が出力可能とされる。
【００３５】
以上のように、脈動検出の工程と眼圧測定の工程とを別々にし、予め被検者を静止した状態で検出した脈動からその後に生じる被検者の脈動に対応する周期的な測定タイミングを定めるようにしたので、被検者が途中で瞬きをしたり、あるいは繰り返し測定で反射的に体動が生じて脈動を検出できない場合でも、所期する脈動周期位置での眼圧測定をスムーズに行うことができる。すなわち、図５において、点線で示した被検者のある脈動に対応する測定タイミングを、直前に生じた脈動よりもさらに前に生じた脈動のサンプリングに基づいて決定したので、点線で示した被検者の脈動が検出できなくてもその脈動に対応する測定タイミングが定められる。
【００３６】
通常は上記のように測定タイミングＳ２を定めていくが、脈度のサンプリングは継続して行い、測定タイミングＳ２を随時新しいものに更新していくと良い。途中で脈動が検出されなくなったときは、それ以前に検出できた脈動から測定タイミングＳ２を定める。例えば、図６に示す様にサンプリングタイムの５秒間を繰返し行い、それぞれのサンプリングに対して、眼圧測定時期の測定タイミングＳ２を決定しいく。途中で脈動が安定して得られなくなったときは、前に決定した測定タイミングＳ２のままとする。
【００３７】
また、図７の様に、継続的なサンプリング中に良い波形が得られた時点で測定タイミングＳ２を更新するようにすることでも良い。この場合も、途中で脈動が検出できないときは、前に決定した測定タイミングＳ２を使用できるので、測定をスムーズに行いことができる。良い波形が得られたときにはタイミングＳ２を随時新しいものに切換えていくことにより、時間経過に伴う脈動の同期ずれが少なくなり、精度が向上する。
【００３８】
以上のことは、サンプリングタイムＴｓを脈動の１周期分とすれば、１つの脈動波形が検出できる毎に、その周期と位相により測定タイミングＳ２を随時定めていくことになり、脈動が検出できないときは、１つ前の測定タイミングＳ２を周期的に繰り返すことになる。すなわち、予め被検者を静止した状態で検出した脈動からその後に生じる被検者の脈動に対応する周期的な測定タイミングＳ２を２つ以上定めることになる。
【００３９】
次に、脈動位相のピークＰとボトムＢを所定回数測定するモードを選択した場合について説明する。このモードでは、同一被検眼に対して、自動的に脈動位相のピークとボトムとでれぞれ２回ずつ眼圧を測定する。
【００４０】
図８に示すように、制御部２０はサンプリングデータから脈動の位相と周期を求め、脈動の位相ピークＰに対応する眼圧測定タイミングＳ２ｐ、脈動の位相ボトムＢに対応する眼圧測定タイミングＳ２ｂを、前述と同様に圧平検出時間Ｔａｐｌ分だけ前にずらすように演算により求める。眼圧測定タイミングＳ２ｐ、Ｓ２ｂはそれぞれ脈動の周期に合わせて継続して定められる。
【００４１】
脈動のサンプリング後、アライメント調整によりアライメント完了信号Ｒが入ると、制御部２０はその後の眼圧測定タイミングＳ２ｐ、Ｓ２ｂの何れか早い方に同期してソレノイド駆動信号Ｓ３を出す。図８では、アライメント完了信号Ｒが入ってから、初めにボトムＢの眼圧測定タイミングＳ２ｂが来て、次にピークＰの眼圧測定タイミングＳ２ｐが来る。この場合、ボトムの眼圧測定タイミングＳ２ｂが先なので、初めの測定結果はボトムＢに対応したものとなる。ボトムの次にすぐにピークＰの眼圧測定が行えないのは、ソレノイド駆動の電荷チャージ時間とシリンダ部１内への空気の吸入時間を要するためである。圧縮空気の噴射が可能になった後に、再びアライメント完了信号Ｒが入る。今度は眼圧測定タイミングＳ２ｐが早く来ているので、このタイミングに同期してソレノイド駆動信号Ｓ３が出される。このときの測定結果はピークＰに対応したものとなる。
【００４２】
こうして、眼圧測定タイミングＳ２ｐ、Ｓ２ｂの何れか早い方に同期した測定が実行され、それぞれ２回ずつの測定結果が得られるように制御部２０が測定順序を制御する。仮に、アライメント完了信号Ｒの入力時期の関係で、先にピークＰでの測定結果が２回得られたら、次はボトムＢを２回という様に順序が制御される。ピークＰとボトムＢをそれぞれ２回測定したら自動的に眼圧平均値が演算される。
【００４３】
測定結果は測定実行の都度モニタ３６に表示されると共に、それぞれ２回ずつの測定結果が得られると、測定終了のメッセージがモニタ３６に表示される。図９はこのときの画面例であり、８０は測定終了のメッセージである。画面下には各測定結果が区別されて表示される。図９の例では、脈動周期位相のピークに対応した測定結果は画面上の表示「Ｐ」の隣に表示されており、脈動周期位相のボトムに対応した測定結果は画面上の表示「Ｂ」の隣に表示されている。また、画面上の表示「Ａｖ」の隣には、演算により求められた平均値が表示されている。なお、図示なきプリンタで印字出力する場合も、同様に各測定結果が何れのものか分かるように区分けされて出力される。外部コンピュータにデータを出力する場合も、同様に行なわれる。この場合、表示されている「Ｐ」、「Ｂ」は事前に決定されるタイミングの内、どちらのタイミングで実行されたかを表す。
【００４４】
【発明の効果】
以上説明したように、本発明によれば、測定中の被検者の負担を軽減して、脈動周期の位相に同期させた測定をスムーズに行うことができる。
【図面の簡単な説明】
【図１】空気圧縮機構の側方概略構成と制御系を示す図である。
【図２】装置の外観及び脈動検出器の取付場所を示す図である。
【図３】空気圧縮機構のノズル付近の光学系を上方より見た図である。。
【図４】脈動のピーク、ボトム、任意点を説明する図である。
【図５】脈動と眼圧測定のタイミングを説明する図である。
【図６】サンプリングタイムに対して、随時新しい眼圧測定時期信号を決定するタイミングチャートを説明する図である。
【図７】良い波形が得られたサンプリングタイムに対して、随時新しい眼圧測定時期信号を決定するタイミングチャートを説明する図である。
【図８】脈動のピーク、ボトムにおける眼圧を繰返し測定するタイミングチャートを説明する図である。
【図９】測定結果の画面表示例を説明する図である。
【符号の説明】
１  シリンダ部
２  ピストン
３  ロータリソレノイド
１２  圧力センサ
１８  脈動検出器
２０  制御部
２８  脈動検出処理回路
３５  ＣＣＤカメラ
３６  モニタ
５０  ＬＥＤ
５６  光検出器
５７  一次元位置検出素子
【図１】
0003696100.tif 000002
【図２】
0003696100.tif 000003
【図３】
0003696100.tif 000004
【図４】
0003696100.tif 000005
【図５】
0003696100.tif 000006
【図６】
0003696100.tif 000007
【図７】
0003696100.tif 000008
【図８】
0003696100.tif 000009
【図９】
0003696100.tif 000010